(57)【要約】【課題】重くて柔らかく、練習中の怪我を最小限に抑えるウェイトトレーニング道具を提供する。【解決手段】熱可塑性エラストマーと、熱可塑性エラストマーと混合された固体粉末を含むウェイトトレーニング道具は、手に握るか、腕、手首、脚、くるぶしまたは腰につけて使われ、0.5g/cm3〜6g/cm3という高密度を有する（望ましくは4g/cm3〜6g/cm3）。【選択図】図３
2007195941.tif 000002
【特許請求の範囲】
【請求項１】
熱可塑性エラストマーと、
熱可塑性エラストマーと混合された固体粉末を含むことを特徴とするウェイトトレーニング道具。
【請求項２】
前記ウェイトトレーニング道具は手に握るものであることを特徴とする請求項１記載のウェイトトレーニング道具。
【請求項３】
前記ウェイトトレーニング道具は腰につけるものであることを特徴とする請求項１記載のウェイトトレーニング道具。
【請求項４】
前記ウェイトトレーニング道具は手首または腕につけるものであることを特徴とする請求項１記載のウェイトトレーニング道具。
【請求項５】
前記ウェイトトレーニング道具はくるぶしまたはすねにつけるものであることを特徴とする請求項１記載のウェイトトレーニング道具。
【請求項６】
前記固体粉末粒子の最大横断寸法は１００ミクロン以下であることを特徴とする請求項１記載のウェイトトレーニング道具。
【請求項７】
前記ウェイトトレーニング道具は更に、熱可塑性エラストマーと固体粉末からなる内容物を包んだ被覆物を含むことを特徴とする請求項１記載のウェイトトレーニング道具。
【請求項８】
前記固体粉末が内容物の重量の６０％〜８５％を占めることを特徴とする請求項７記載のウェイトトレーニング道具。
【請求項９】
前記固体粉末は金属粉末を含むことを特徴とする請求項１記載のウェイトトレーニング道具。
【請求項１０】
前記ウェイトトレーニング道具は更に、熱可塑性エラストマー及び固体粉末と混合された油性物質を含むことを特徴とする請求項１記載のウェイトトレーニング道具。
【発明の詳細な説明】
【技術分野】
【０００１】
この発明はウェイトトレーニング道具に関し、特に固体粉末と熱可塑性エラストマーの混合物を含んだウェイトトレーニング道具に関する。
【背景技術】
【０００２】
フィットネスが脚光を浴びている昨今では、時間と場所を問わず、いつでもどこでもできるウェイトトレーニングは人気である。ウェイトトレーニングは運動だけでなく、強靭な筋肉をつくり、身体をビルドアップする効果を有する。しかし、鉄の塊、鉄粉、鉄片または鉄の玉など重くて硬いものでつくられたダンベルやサンドバッグなど従来のウェイトトレーニング道具は、不注意に扱うと怪我するおそれがあるので、年寄りや子供には適しない。
【０００３】
それに代わるものとして、金属の塊または粉末を布またはゴム製品の中にいれ、マジックテープ（登録商標）で体の特定部位につけるようなウェイトトレーニング道具も開発された。しかし、金属を包んだ道具は可撓性に欠けているので、装着が不便であるのみならず、快適ともいいがたい。
【発明の開示】
【発明が解決しようとする課題】
【０００４】
この発明は前述の問題を解決するため、重いが柔らかく、練習中の怪我を最小限に抑えるウェイトトレーニング道具を提供することを課題とする。
【課題を解決するための手段】
【０００５】
この発明は熱可塑性エラストマーと、熱可塑性エラストマーと混合された固体粉末を含むウェイトトレーニング道具を提供する。ウェイトトレーニング道具は手に握るか、腕、手首、脚、くるぶしまたは腰につけて使うものであり、0.5g/cm3〜6g/cm3という高密度を有する（望ましくは4g/cm3〜6g/cm3）。
【０００６】
なお、金属粉末を含んだ固体粉末は横断寸法が１００ミクロン以下であり、内容物の重量の６０％〜８５％を占める。ウェイトトレーニング道具は更に、熱可塑性エラストマー及び固体粉末と混合された油性物質と、それらを包み込む被覆物を含む。
【発明の効果】
【０００７】
熱可塑性エラストマーと固体粉末でつくられたこの発明によるウェイトトレーニング道具は各種のウェイトトレーニングに適するだけでなく、腕、脚、腰のいずれに着用しても快適である。内容物に固体粉末が混じっているので、ウェイトトレーニング道具は0.5g/cm3〜6g/cm3という高密度を有する（望ましくは4g/cm3〜6g/cm3）。したがって、少量の内容物だけでも所望の重量を有するウェイトトレーニング道具をつくられる。
【発明を実施するための最良の形態】
【０００８】
かかる道具の特徴を詳述するために、具体的な実施例を挙げ、図を参照して以下に説明する。
【実施例１】
【０００９】
この発明によるウェイトトレーニング道具は図のようにダンベル型につくられ、手の筋肉を鍛えるものとされる。その材質は柔らかいので、不注意に落としても怪我をしない。
【００１０】
図１を参照する。図１はこの発明の実施例１によるウェイトトレーニング道具を手に握る状態を表す説明図である。ここでウェイトトレーニング道具とは卵型ダンベル１００である。それを手１０にもって、ひじ関節を曲げ伸ばしすれば手の筋肉を鍛え、強く握れば指の筋肉を鍛えられる。図２と図３を参照する。図２と図３は卵型ダンベル１００の立体図と断面図である。卵型ダンベル１００は被覆物１０２と、それに包まれる内容物１０４からなる。内容物１０４は熱可塑性ゴム／エラストマー（ＴＰＲ／ＴＰＥ）、固体粉末及び油性物質を均一に混合してつくられたものである。熱可塑性ゴム／エラストマーは塩化ポリビニール（ＰＶＣ）、熱可塑性加硫エラストマー（ＴＰＶ）、熱可塑性ポリウレタンエラストマー（ＴＰＵ）、熱可塑性スチレンエラストマー（ＴＰＳ）、熱可塑性ポリエステルエラストマー（ＴＰＥＥ）、ポリアミドエラストマー（ＰＡＥ）またはスチレン類熱可塑性エラストマーである。スチレン類熱可塑性エラストマーは例えばスチレン・イソプレン・スチレンブロック共重合体（ＳＩＳ）、スチレン・ブタジエン・スチレンブロック共重合体（ＳＢＳ）、スチレン・エチレン・ブタジエン・スチレンブロック共重合体（ＳＥＢＳ）、スチレン・エチレン・プロピレン・スチレンブロック共重合体（ＳＥＰＳ）、スチレン・エチレン・スチレンブロック共重合体（ＳＥＳ）、スチレンブロック共重合体（ＳＢＣ）、スチレン・ブタジエンゴム（ＳＢＲ）などである。熱可塑性ゴム／エラストマーは内容物１０４の重量の５％〜２０％を占めている。油性物質は例えばゴムエキステンダー油、工業用油、ホワイトオイル、イエローオイルまたはブラックオイルであり、内容物の重量の１０％〜２５％を占めている。固体粉末は例えば鉄粉、石粉、鉱物粉末、銅粉、鉛粉、すず粉またはその他金属もしくは無機化合物の粉末であり、内容物の重量の６０％〜８５％を占めている。金属粉末の粒子の横断寸法は１００ミクロン以下であり、望ましくは１〜１００ミクロンである。そのほか、内容物１０４はフタル酸ジオクチル（ＤＯＰ）を選択的に含んでいる。前記内容物は相当に高い密度を有し、例えば0.5g/cm3〜6g/cm3、または3g/cm3〜6g/cm3であり、望ましくは4g/cm3〜6g/cm3である。被覆物１０２の材料は高伸度のゴム及び／または高伸度の布及び／またはプラスチックである。
【実施例２】
【００１１】
前記ダンベルをほかの形につくることも可能である。図４と図５を参照する。図４はこの発明の実施例２によるダンベルを表す立体図であり、図５は図４のダンベルの断面図である。ダンベル２００は柄部２０２と、柄部２０２の両端に接する六角柱体の端部２０４、２０６を有する。ダンベル２００の柄部２０２を握ってひじ関節を曲げ伸ばしすれば、腕の筋肉を鍛えられる。ダンベル２００は被覆物２１２と、それに包まれる内容物２１４からなる。両者の材質は前記実施例１の被覆物１０２、内容物１０４と同一であるので、その説明を省略する。
【実施例３】
【００１２】
前記ダンベルをほかの形につくることも可能である。図６と図７を参照する。図６はこの発明の実施例３によるダンベルを表す立体図であり、図７は図６のダンベルの断面図である。ダンベル３００は円柱体３０２と、円柱体３０２の両端に接するベルト３０４を有する。ダンベル３００の円柱体３０２を握ってひじ関節を曲げ伸ばしすれば、腕の筋肉を鍛えられる。その場合ベルト３０４は手の甲にかける。ダンベル３００の円柱体３０２は被覆物３１２と、それに包まれる内容物３１４からなる。両者の材質は前記実施例１の被覆物１０２、内容物１０４と同一であるので、その説明を省略する。
【００１３】
なお、この発明によるウェイトトレーニング道具は手、脚または腰につけて各部位の筋肉を鍛えるものであり、その材質は柔らかいので、不注意に落としても怪我をしないし、床を傷つけることもない。
【実施例４】
【００１４】
図８と図９を参照する。図８はこの発明の実施例４によるウェイトトレーニング道具を表す立体図であり、図９は図８のウェイトトレーニング道具の断面図である。ウェイトトレーニング道具４００は両端が相互に接している手持部４０２、４０４を有する。ウェイトトレーニング道具４００は、手または脚を手持部４０２、４０４間の空間４０６に入れ、手首、腕またはくるぶし、すねにつけて使うものである。ウェイトトレーニング道具４００の手持部４０２、４０４は被覆物４１２と、それに包まれる内容物４１４からなる。両者の材質は前記実施例１の被覆物１０２、内容物１０４と同一であるので、その説明を省略する。
【実施例５】
【００１５】
前記手首、腕またはくるぶし、すねにつけて使うウェイトトレーニング道具をほかの形につくることも可能である。図１０と図１１を参照する。図１０はこの発明の実施例５によるウェイトトレーニング道具を表す立体図であり、図１１は図１０のウェイトトレーニング道具の断面図である。輪状のウェイトトレーニング道具５００は、手２０をその開口５０２にいれ、手首または腕につけて使うものである。図１２を参照する。図１２はこの発明の実施例５によるウェイトトレーニング道具を手首につけた状態を表す説明図である。或いは、脚を開口５０２にいれ、ウェイトトレーニング道具５００をくるぶしまたはすねにつけて使うことも可能である。ウェイトトレーニング道具５００は被覆物５１２と、それに包まれる内容物５１４からなる。両者の材質は前記実施例１の被覆物１０２、内容物１０４と同一であるので、その説明を省略する。
【実施例６】
【００１６】
前記輪状のウェイトトレーニング道具をほかの形につくることも可能である。図１３と図１４を参照する。図１３はこの発明の実施例６によるウェイトトレーニング道具を表す立体図であり、図１４は図１３のウェイトトレーニング道具の断面図である。輪状のウェイトトレーニング道具６００には一定距離ずつ球状突起６０２が開口６０４を囲むように設けられている。ウェイトトレーニング道具６００は、手をその開口６０４にいれ、手首または腕につけて使うか、または脚を開口６０４にいれ、くるぶしまたはすねにつけて使うものである。ウェイトトレーニング道具６００は被覆物６１２と、それに包まれる内容物６１４からなる。両者の材質は前記実施例１の被覆物１０２、内容物１０４と同一であるので、その説明を省略する。
【実施例７】
【００１７】
図１５と図１６を参照する。図１５はこの発明の実施例７によるウェイトトレーニング道具を表す立体図であり、図１６は図１５のウェイトトレーニング道具の断面図である。ウェイトトレーニング道具７００は主要荷重部７０２と、方形リング７０４と、マジックテープ（登録商標）７０６を含む、方形リング７０４は主要荷重部７０２の一端７０２ａに固定され、マジックテープ（登録商標）７０６の右半部の裏は主要荷重部７０２の上表面７０２ｃに縫い付けられ、残りの部分は主要荷重部７０２のその他の端７０２ｂから突き出ている。マジックテープ（登録商標）７０６の上表面はループ面７０８とフック面７１０を有し、ループ面７０８は主要荷重部７０２に近い側、すなわちマジックテープ（登録商標）７０６の右側と中央部に設けられ、フック面７１０は主要荷重部７０２から遠い側、すなわちマジックテープ（登録商標）７０６の左側に設けられている。ウェイトトレーニング道具７００を脚につける方法については図１７を参照する。図１７はこの発明によるウェイトトレーニング道具を脚につけた状態を表す説明図である。まず主要荷重部７０２の下表面７０２ｄを脚３０に貼り付け、主要荷重部７０２を脚３０に巻き、マジックテープ（登録商標）７０６を方形リング７０４の中に通し、更にそれを折り返し、フック面７１０をループ面７０８に貼り付けて着用する。或いは、ウェイトトレーニング道具７００を腕につけることも可能である。まず主要荷重部７０２の下表面７０２ｄを腕に貼り付け、主要荷重部７０２を腕に巻き、マジックテープ（登録商標）７０６を方形リング７０４の中に通し、更にそれを折り返し、フック面７１０をループ面７０８に貼り付けて着用する。ウェイトトレーニング道具７００の主要荷重部７０２は被覆物７１２と、それに包まれる内容物７１４からなる。両者の材質は前記実施例１の被覆物１０２、内容物１０４と同一であるので、その説明を省略する。
【実施例８】
【００１８】
もっとも、長い辺が互いに接するように並んでいる細長い主要荷重部８０２、８０３を有するウェイトトレーニング道具８００も考えられる。図１８と図１９を参照する。図１８はこの発明の実施例８によるウェイトトレーニング道具を表す立体図であり、図１９は図１８のウェイトトレーニング道具の主要荷重部と方形リングの断面図である。ウェイトトレーニング道具８００は前記主要荷重部以外、方形リング８０４と、マジックテープ（登録商標）８０６を含む、方形リング８０４は主要荷重部８０２、８０３の短い辺の一端８０２ａ、８０３ａに固定され、マジックテープ（登録商標）８０６の右半部の裏は主要荷重部８０２、８０３の上表面８０２ｃ、８０３ｃに縫い付けられ、残りの部分は主要荷重部８０２、８０３のその他の端８０２ｂ、８０３ｂから突き出ている。マジックテープ（登録商標）８０６の上表面はループ面８０８とフック面８１０を有し、ループ面８０８は主要荷重部８０２、８０３に近い側、すなわちマジックテープ（登録商標）８０６の右側と中央部に設けられ、フック面８１０は主要荷重部８０２、８０３から遠い側、すなわちマジックテープ（登録商標）８０６の左側に設けられている。ウェイトトレーニング道具８００を腕または脚につける方法について、まず主要荷重部８０２、８０３の下表面を腕または脚に貼り付け、主要荷重部８０２、８０３を腕または脚に巻き、マジックテープ（登録商標）８０６を方形リング８０４の中に通し、更にそれを折り返し、フック面８１０をループ面８０８に貼り付けて着用する。ウェイトトレーニング道具８００の主要荷重部８０２、８０３は被覆物８１２と、それに包まれる内容物８１４からなる。両者の材質は前記実施例１の被覆物１０２、内容物１０４と同一であるので、その説明を省略する。
【実施例９】
【００１９】
なお、長い辺が互いに接するように並んでいる、複数の細長い主要荷重部９０１、９０２、９０３、９０４、９０５を有するウェイトトレーニング道具９００も考えられる。図２０と図２１を参照する。図２０はこの発明の実施例９によるウェイトトレーニング道具を表す立体図であり、図２１は図２０のウェイトトレーニング道具の断面図である。ウェイトトレーニング道具９００は前記主要荷重部以外、最左側の主要荷重部９０１に接するマジックテープ（登録商標）９０６を含む。マジックテープ（登録商標）９０６の上表面はフック面９１０と、最右側の主要荷重部９０４、９０５の下表面に設けられるループ面９０８を有する。ウェイトトレーニング道具８００を脚、腕または腰につける方法について、まず主要荷重部９０１、９０２、９０３、９０４、９０５の上表面を脚、腕または腰に貼り付け、主要荷重部９０１、９０２、９０３、９０４、９０５を脚、腕または腰に巻き、マジックテープ（登録商標）９０６のフック面９１０をループ面９０８に貼り付けて着用する。ウェイトトレーニング道具９００の主要荷重部９０１、９０２、９０３、９０４、９０５は被覆物９１２と、それに包まれる内容物９１４からなる。両者の材質は前記実施例１の被覆物１０２、内容物１０４と同一であるので、その説明を省略する。
【実施例１０】
【００２０】
そのほか、ウェイトトレーニング道具をグローブ状につくることも可能である。図２２と図２３を参照する。図２２はこの発明の実施例１０によるウェイトトレーニング道具を表す立体図であり、図２３は図２２のウェイトトレーニング道具の側面図である。ウェイトトレーニング道具１０００の上方には、左手の人差し指、中指、薬指、小指を、または右手の人差し指、中指、薬指、小指を入れる４つの指固定部１００１、１００２、１００３、１００４が設けられている。それ以外、ウェイトトレーニング道具１０００はリング１００５と、マジックテープ（登録商標）１００６と、主要荷重部１００７を有する。リング１００５はウェイトトレーニング道具１０００の下方の左側に設けられ、マジックテープ（登録商標）１００６はウェイトトレーニング道具１０００の下方の右側に設けられ外へ突き出ており、主要荷重部１００７はウェイトトレーニング道具１０００の外表面に縫い付けられる。ウェイトトレーニング道具１０００を左手または右手に着用する方法について、まず左手の人差し指、中指、薬指、小指、または右手の人差し指、中指、薬指、小指を指固定部１００１、１００２、１００３、１００４に通し、手の甲をウェイトトレーニング道具１０００の裏面につけ、更にマジックテープ（登録商標）１００６をリング１００５に通し、それを折り返してフック面をループ面に貼り付けて着用する。ウェイトトレーニング道具１０００の主要荷重部１００７は被覆物１０１２と、それに包まれる内容物１０１４からなる。両者の材質は前記実施例１の被覆物１０２、内容物１０４と同一であるので、その説明を省略する。
【実施例１１】
【００２１】
そのほか、ウェイトトレーニング道具を図２４と図２５に示すようにつくることも可能である。図２４と図２５を参照する。図２４はこの発明の実施例１１によるウェイトトレーニング道具を表す立体図であり、図２５は図２４のウェイトトレーニング道具の断面図である。ウェイトトレーニング道具１１００は主要荷重部１１０２を有し、主要荷重部１１０２には左手または右手の親指と人差し指の間をあてる凹部１１０３が設けられる。ウェイトトレーニング道具１１００は更に３本のマジックテープ（登録商標）１１０４、１１０５、１１０６を有する。マジックテープ（登録商標）１１０４は主要荷重部１１０２の左側に接し、主要荷重部１１０２の左側から左へ突き出て、マジックテープ（登録商標）１１０５は主要荷重部１１０２の左側下方に接し、主要荷重部１１０２の左側下方から右下へ突き出て、マジックテープ（登録商標）１１０６は主要荷重部１１０２の右側下方に接し、主要荷重部１１０２の右側下方から右へ突き出ている。マジックテープ（登録商標）１１０４、１１０５、１１０６は各々の下表面に設けられるフック面１１０７、１１０８、１１０９と、それにくっつけるためのループ面１１１０、１１１１、１１１２を有する。ループ面１１１０、１１１１、１１１２はそれぞれ右側の主要荷重部１１０２に、左側下方のマジックテープ（登録商標）１１０５に、及び右側下方のマジックテープ（登録商標）１１０６に設けられる。ウェイトトレーニング道具１１００を左手または右手に着用する方法について、まず左手または右手の親指と人差し指の間を主要荷重部１１０２の凹部１１０３にあて、主要荷重部１１０２の左右両側を左手または右手の手の甲と手のひらに向いて折りたたんで、更にマジックテープ（登録商標）１１０４、１１０５、１１０６のフック面１１０７、１１０８、１１０９をループ面１１１０、１１１１、１１１２に貼り付けて着用する。ウェイトトレーニング道具１１００の主要荷重部１１０２は被覆物１１１３と、それに包まれる内容物１１１４からなる。両者の材質は前記実施例１の被覆物１０２、内容物１０４と同一であるので、その説明を省略する。
【００２２】
以上はこの発明に好ましい実施例であって、この発明の実施の範囲を限定するものではない。よって、当業者のなし得る修正、もしくは変更であって、この発明の精神の下においてなされ、この発明に対して均等の効果を有するものは、いずれもこの発明の特許請求の範囲に属するものとする。
【産業上の利用可能性】
【００２３】
この発明によるウェイトトレーニング道具は熱可塑性エラストマーと固体粉末でつくられ、各種のウェイトトレーニングに適する。
【図面の簡単な説明】
【００２４】
【図１】この発明の実施例１によるウェイトトレーニング道具を手に握る状態を表す説明図である。
【図２】卵型ダンベルの立体図である。
【図３】卵型ダンベルの断面図である。
【図４】この発明の実施例２によるダンベルを表す立体図である
【図５】図４のダンベルの断面図である。
【図６】この発明の実施例３によるダンベルを表す立体図である。
【図７】図６のダンベルの断面図である。
【図８】この発明の実施例４によるウェイトトレーニング道具を表す立体図である。
【図９】図８のウェイトトレーニング道具の断面図である。
【図１０】この発明の実施例５によるウェイトトレーニング道具を表す立体図である。
【図１１】図１０のウェイトトレーニング道具の断面図である。
【図１２】この発明の実施例５によるウェイトトレーニング道具を手首につけた状態を表す説明図である。
【図１３】この発明の実施例６によるウェイトトレーニング道具を表す立体図である。
【図１４】図１３のウェイトトレーニング道具の断面図である。
【図１５】この発明の実施例７によるウェイトトレーニング道具を表す立体図である。
【図１６】図１５のウェイトトレーニング道具の断面図である。
【図１７】この発明によるウェイトトレーニング道具を脚につけた状態を表す説明図である。
【図１８】この発明の実施例８によるウェイトトレーニング道具を表す立体図である。
【図１９】図１８のウェイトトレーニング道具の主要荷重部と方形リングの断面図である。
【図２０】この発明の実施例９によるウェイトトレーニング道具を表す立体図である。
【図２１】図２０のウェイトトレーニング道具の断面図である。
【図２２】この発明の実施例１０によるウェイトトレーニング道具を表す立体図である。
【図２３】図２２のウェイトトレーニング道具の側面図である。
【図２４】この発明の実施例１１によるウェイトトレーニング道具を表す立体図である。
【図２５】図２４のウェイトトレーニング道具の断面図である。
【符号の説明】
【００２５】
１０、２０                                    手
３０                                          脚
１００、２００、３００                        ダンベル
１０２、２１２、３１２、４１２、５１２、６１２、     被覆物
７１２、８１２、９１２、１０１２、１１１３
１０４、２１４、３１４、４１４、５１４、６１４、     内容物
７１４、８１４、９１４、１０１４、１１１４
２０２                                        柄部
２０４、２０６                                端部
３０２                                        円柱体
３０４                                        ベルト
４００、５００、６００、７００、８００、９００、     ウェイトトレーニング道具
１０００、１１００
４０２、４０４                                手持部
４０６                                        空間
６０２                                        球状突起
６０４                                        開口
７０２、８０２、８０３、９０１−９０５、１００７、   主要荷重部
１１０２
７０４、８０４                                方形リング
７０６、８０６、９０６、１００６、１１０４−１１０６ マジックテープ（登録商標）
７０８、８０８、９０８、１１１０−１１１２           ループ面
７１０、８１０、９１０、１１０７−１１０９           フック面
１００１、１００２、１００３、１００４        指固定部
１００５                                      リング
１１０３                                      凹部
【図１】
2007195941.tif 000003
【図２】
2007195941.tif 000004
【図３】
2007195941.tif 000005
【図４】
2007195941.tif 000006
【図５】
2007195941.tif 000007
【図６】
2007195941.tif 000008
【図７】
2007195941.tif 000009
【図８】
2007195941.tif 000010
【図９】
2007195941.tif 000011
【図１０】
2007195941.tif 000012
【図１１】
2007195941.tif 000013
【図１２】
2007195941.tif 000014
【図１３】
2007195941.tif 000015
【図１４】
2007195941.tif 000016
【図１５】
2007195941.tif 000017
【図１６】
2007195941.tif 000018
【図１７】
2007195941.tif 000019
【図１８】
2007195941.tif 000020
【図１９】
2007195941.tif 000021
【図２０】
2007195941.tif 000022
【図２１】
2007195941.tif 000023
【図２２】
2007195941.tif 000024
【図２３】
2007195941.tif 000025
【図２４】
2007195941.tif 000026
【図２５】
2007195941.tif 000027